(57)【要約】【課題】洗浄対象物を乾燥するのに要する時間の短縮化を図り、しかも、洗浄対象物を乾燥する際に外部に排出する空気の低温化を図ることができる食器洗浄機を提供する。【解決手段】平面視形状が４角状の洗浄槽Ｄが備えられ、洗浄槽Ｄの側周壁部には、送風手段からの空気を洗浄槽内に供給する送風口２１、及び、前記洗浄槽内の空気を排出する排気口２２が形成され、洗浄槽Ｄの底部には、送風口２１から供給される空気を加熱する加熱手段９が設けられ、洗浄槽Ｄにおける４つの側壁部のうちの一つの側壁部に、送風口２１及び排気口２２が、下方側で且つ左右両側に離れた位置に形成されている食器洗浄機。【選択図】図５
2010142576.tif 000002
【特許請求の範囲】
【請求項１】
平面視形状が４角状の洗浄槽が備えられ、
前記洗浄槽の側周壁部には、送風手段からの空気を前記洗浄槽内に供給する送風口、及び、前記洗浄槽内の空気を排出する排気口が形成され、
前記洗浄槽の底部には、前記送風口から供給される空気を加熱する加熱手段が設けられている食器洗浄機であって、
前記洗浄槽における４つの側壁部のうちの一つの側壁部に、前記送風口及び排気口が、下方側で且つ左右両側に離れた位置に形成されている食器洗浄機。
【請求項２】
前記送風口及び排気口が形成される側壁部が、前記洗浄槽における４つの側壁部のうちの機体前面側に相当する前側壁部である請求項１記載の食器洗浄機。
【請求項３】
前記洗浄槽が、本体部に対して引出し移動及び収納移動な引出し部に備えられ、
前記送風手段が、前記洗浄槽の下方に位置する状態で前記引出し部に設けられ、
前記送風手段から供給される空気を前記送風口に案内する給気ダクトが設けられている請求項１又は２記載の食器洗浄機。
【請求項４】
前記送風手段が、前記引出し部の奥行き方向の奥側に設けられている請求項３記載の食器洗浄機。
【請求項５】
前記排気口からの排気を機体前面側で且つ機体上部側の外部排出口に案内する排気ダクトが設けられている請求項１〜４に記載の食器洗浄機。
【請求項６】
前記排気ダクト内に、空気の流れを乱流化するために空気の流れに抵抗を与える抵抗体が配置されている請求項５に記載の食器洗浄機。
【発明の詳細な説明】
【技術分野】
【０００１】
本発明は、平面視形状が４角状の洗浄槽が備えられ、
前記洗浄槽の側周壁部には、送風手段からの空気を前記洗浄槽内に供給する送風口、及び、前記洗浄槽内の空気を排出する排気口が形成され、
前記洗浄槽の底部には、前記送風口から供給される空気を加熱する加熱手段が設けられている食器洗浄機に関する。
【背景技術】
【０００２】
かかる食器洗浄機は、洗浄槽内に収納された洗浄対象物を洗浄及び乾燥する処理を行うように構成されるものである。
そして、洗浄物を乾燥するときには、送風手段からの空気を送風口を通して洗浄槽内に供給しかつ排気口から洗浄槽内の空気を排出する形態で空気を流動させ、そして、送風口から供給される空気を加熱手段にて加熱することになる。
【０００３】
このような食器洗浄機の従来例として、洗浄槽における４つの側壁部のうちの前側壁部に、送風口を下方側で且つ右側に相当する位置に形成し、且つ、排気口を上方側で且つ左側に相当する位置に形成したものがある（例えば、特許文献1参照。）。
ちなみに、排気口から排気される空気は食器洗浄機の外部に排出されるものとなり、上記の特許文献１においては、排気口から排気される空気を外部に排出する外部排出口が、機体前面側でかつ上部側に、排気口に連通する状態で形成されて、排気口から排気される空気が外部排出口より外部に排出されるように構成されている。
尚、上記特許文献１の食器洗浄機は、洗浄槽が、本体部に対して引出し移動及び収納移動自在な引出し部に備えられており、引き出し部を本体部から引き出した状態において、洗浄対象物を洗浄槽に対して収納する作業や取出す作業を行い、そして、引き出し部を本体部に収納した状態において、洗浄槽内に収納された洗浄対象物を洗浄及び乾燥する処理を行うように構成されている。
【０００４】
【特許文献１】特許第３１２９３１６号公報
【発明の開示】
【発明が解決しようとする課題】
【０００５】
食器洗浄機においては、洗浄後の洗浄対象物を乾燥するのに要する時間の短縮化を図ることが要望されるものであり、また、排気口から排出される空気の温度、つまり、食器洗浄機の外部に排出される空気の温度を低くすることが望まれるものとなる。
説明を加えると、乾燥に要する時間を短縮させることができれば、送風手段や加熱手段を作動させる時間が短くなって、ランニングコストを減少させる等の利点があり、乾燥に要する時間の短縮化が望まれるものとなる。
また、乾燥時に外部に排出される温度を低くできれば、外部に排出される空気が使用者に当たるようなことがあっても、使用者に不快感を与えることを回避できるものとなり、外部に排出される空気の温度を低くすることが望まれるものとなる。
【０００６】
しかしながら、上記特許文献１の食器洗浄機においては、洗浄後の洗浄対象物を乾燥するに要する時間を短縮し難いものであり、また、外部排出される空気の温度を低くし難いものであった。
つまり、図７に示すように、洗浄槽Ｄにおける４つの側壁部のうちの一つの側壁部に、送風口３０を下方側で且つ右側に相当する位置に形成し、且つ、排気口３２を上方側で且つ左側に相当する位置に形成し、そして、送風口３０から洗浄槽内に供給された空気を加熱手段３１にて加熱するように構成した場合においては、送風口３０から洗浄槽Ｄの内部に供給されて加熱手段３１にて加熱された空気は、送風口３０や排気口３２が形成される側壁部（以下、口形成側壁部と略称する）に対向する側壁部（以下、対向側壁部と略称する）に向けて、上方側に移動しながら流動することになり、その後、対向側壁部にて反射して、口形成側壁部の存在側に向けて流動することになる。そして、口形成側壁部に向けて流動する空気は、排気口３２が口形成側壁部の左側で且つ上方側に位置するため、口形成側壁部の左側で且つ上方側に向けて流動して、排気口３２から排出されるものとなる。
【０００７】
このように、送風口３０から洗浄槽Ｄの内部に供給された空気の主たる流れは、上昇しながら対向側壁部に向けて流動し、その後、口形成側壁部に形成した排気口の形成箇所に向けて流動して、排気口から排出される流れとなるため、洗浄槽Ｄ内における排気口３２が位置する側の下方側の部分Ｘ（図中斜線部分）には、空気が流動し難いものとなる。
このため、上記下方側部分Ｘに位置する洗浄対象物を効率良く乾燥し難いものとなること等により、乾燥に要する時間の短縮化を図り難いものであった。
【０００８】
また、図７に示すように構成する場合においては、排気口３２が口形成側壁部の上方側に形成されるものであるため、加熱手段３１にて加熱されて洗浄槽Ｄの内部空間の上方側に位置する高温の空気が排気口３２を通して排出され易いものであるため、排気口３２から排出される空気が高温となる傾向にあり、その結果、食器洗浄機の外部に排出される空気の低温化を図り難いものであった。
【０００９】
本発明は、上記実情に鑑みて為されたものであって、その目的は、洗浄対象物を乾燥するのに要する時間の短縮化を図り、しかも、洗浄対象物を乾燥する際に外部に排出する空気の低温化を図ることができる食器洗浄機を提供する点にある。
【課題を解決するための手段】
【００１０】
本発明の食器洗浄機は、平面視形状が４角状の洗浄槽が備えられ、
前記洗浄槽の側周壁部には、送風手段からの空気を前記洗浄槽内に供給する送風口、及び、前記洗浄槽内の空気を排出する排気口が形成され、
前記洗浄槽の底部には、前記送風口から供給される空気を加熱する加熱手段が設けられているものであって、その第１特徴構成は、
前記洗浄槽における４つの側壁部のうちの一つの側壁部に、前記送風口及び排気口が、下方側で且つ左右両側に離れた位置に形成されている点を特徴とする。
【００１１】
すなわち、送風口及び排気口が、洗浄槽における４つの側壁部のうちの一つの側壁部に、下方側で且つ左右両側に離れた位置に形成されているから、送風口から洗浄槽の内部に供給された空気は、洗浄対象物の存在等によって種々に変化するものとなるものの、主たる流れとして、次の流れを考えることができる。
図５に基づいて説明すると、送風口２１から洗浄槽内に供給されて加熱手段９にて加熱された空気が、送風口２１や排気口２２が形成される側壁部（以下、口形成側壁部と略称する）に対向する側壁部（以下、対向側壁部と略称する）に向けて、上方側に移動しながら流動し、その後、対向側壁部にて反射して、口形成側壁部の存在側に向けて流動することになる。そして、口形成側壁部に向けて流動する空気は、排気口２２が口形成側壁部おける下方側で且つ送風口２１とは左右方向で離れた位置に位置するため、送風口２１の存在側から離れる側に向けて且つ下方側に向けて流動して、排気口２２から排出されるものとなる。
【００１２】
このように、送風口から洗浄槽の内部に供給された空気の主たる流れは、上昇しながら対向側壁部に向けて流動し、その後、口形成側壁部における下方側で且つ送風口とは左右方向で離れた位置に形成した排気口に向けて下方側移動しながら流動して、排気口から排出される流れとなるため、洗浄槽内における排気口が位置する側の下方側の部分Ｘ（図中斜線部分）にも、空気が流動し易いものとなるのである。
したがって、洗浄槽内の洗浄対象物の全体に空気を通流させて、洗浄対象物を効率良く乾燥することにより、乾燥時間の短縮化を図ることができるものとなる。
【００１３】
また、送風口及び排気口が、洗浄槽における４つの側壁部のうちの一つの側壁部に、下方側で且つ左右両側に離れた位置に形成されているから、送風口から洗浄槽の内部に供給された空気の主たる流れとしては、上述の流れを考えることができるものの、加えて、送風口から排気口に短絡流動する流れを考えることができるものとなる。
図５に基づいて説明を加えると、送風口２１から洗浄槽の内部に供給された空気の一部が、排気口２２の存在側が低圧部となっているため、対向側壁部側に向けて流れないで、加熱手段９にて加熱されることなく、排気口２２に向けて短絡して流れる短絡流動の流れとなることを考えることができる。
【００１４】
このように送風口から排気口に向けて短絡して流動する空気は、その温度が低いため、主たる流れの空気と混合して、排気口から排出される空気の温度を低くすることに有効となる。しかも、排気口に向けて流れる主たる流れの空気は、洗浄対象物の乾燥のために気化熱を奪われて冷却した空気であり、洗浄槽の上部に位置する空気よりも低温であるため、主たる流れの空気と短絡して流動する空気とが混合した空気の温度は、十分に低くなるものである。
ところで、洗浄槽内の洗浄対象物の乾燥が進んだ状態においては、主たる流れの空気の温度が高温となるが、このように高温になった空気は比重が軽いため、洗浄槽の上部に滞留する傾向となって、短絡流動する流れの空気量が増加する傾向となるものであり、このため洗浄槽内の洗浄対象物の乾燥が進んだ状態においても、主たる流れの空気と短絡して流動する空気とが混合した空気の温度は、十分に低くなるものである。
したがって、排出口から排出される空気、つまり外部に排出される空気の低温化を図ることができるものとなる。
【００１５】
要するに、第１特徴構成によれば、洗浄対象物を乾燥するのに要する時間の短縮化を図り、しかも、洗浄対象物を乾燥する際に外部に排出する空気の低温化を図ることができる食器洗浄機を提供できるものとなる。
【００１６】
本発明の第２特徴構成は、上記第１特徴構成に加えて、
前記送風口及び排気口が形成される側壁部が、前記洗浄槽における４つの側壁部のうちの機体前面側に相当する前側壁部である点を特徴とする。
【００１７】
すなわち、送風口及び排気口が、洗浄槽における４つの側壁部のうちの機体前面側に相当する前側壁部に形成されるものであり、排気口から排気される空気を機体前方側に排出するように構成することが行い易いものとなる。
つまり、一般に、食器洗浄機においては排気口から排出される空気を外部に排出するにあたり、機体前方側に排出することになるが、排気口が洗浄槽における４つの側壁部のうちの機体前面側に相当する前側壁部に形成されるものであるため、その排気口から排出される空気を機体前方側に排出するための構成を簡素なものに済ませることができるのである。
【００１８】
従って、第１特徴構成による作用効果に加えて、構成の簡素化を図ることが可能な食器洗浄機を提供するに至った。
【００１９】
本発明の第３特徴構成は、上記第１特徴構成又は第２特徴構成に加えて、
前記洗浄槽が、本体部に対して引出し移動及び収納移動自在に設けられた引出し部に備えられ、
前記送風手段が、前記洗浄槽の下方に位置する状態で前記引出し部に設けられ、
前記送風手段から供給される空気を前記送風口に案内する給気ダクトが設けられている点を特徴とする。
【００２０】
すなわち、洗浄槽が、本体部に対して引出し移動及び収納移動自在な引出し部に備えられているから、引き出し部を本体部から引き出した状態において、洗浄対象物を洗浄槽に対して収納する作業や取出す作業を行い、そして、引き出し部を本体部に収納した状態において、洗浄槽内に収納された洗浄対象物を洗浄及び乾燥する処理を行うことになる。
そして、引き出し部を本体部から引き出した状態においては、洗浄槽の上部が大きく露出した状態になるため、洗浄対象物を洗浄槽に対して収納する作業や取出す作業を良好に行なえるものとなる。
また、洗浄槽の下方に位置する状態で引出し部に送風手段が設けられて、その送風手段から供給される空気が給気ダクトを通して送風口に供給されて、洗浄槽内に供給されることになる。
そして、送風手段が洗浄槽の下方に設けられるものであるから、引出し部における前壁部分に送風手段を設けるに較べて、引出し部の前後長さが長くなることを抑制して、引出し部を本体部から引き出した状態において、引出し部が本体部から大きく突出することを回避できるものとなって、使用し易いものとなる。
【００２１】
従って、第１特徴構成又は第２特徴構成による作用効果に加えて、引出し部を本体部から引き出した状態において、引出し部が本体部から大きく突出することを回避できるものとなる食器洗浄機を提供するに至った。
【００２２】
本発明の第４特徴構成は、上記第３特徴構成に加えて、
前記送風手段が、前記引出し部の奥行き方向の奥側に設けられている点を特徴とする。
【００２３】
すなわち、引出し部は本体部から引き出した状態においては、本体部に対して片持ち状に支持されることになるが、このような状態において、送風手段が引出し部の奥行き方向の奥側に設けられているため、送風手段が引出し部の奥行き方向の手前側（引出し部の前面側）に位置するに較べて、送風手段の重力により、引出し部を下方側に移動させるようにするモーメントを小さくできるものとなり、本体部に対して引出し部を支持する構成の簡素化を図りながらも引出し部を良好に支持することが可能となるのである。
【００２４】
従って、第３特徴構成による作用効果に加えて、本体部に対して引出し部を支持する構成の簡素化を図りながらも引出し部を良好に支持することが可能となる食器洗浄機を提供するに至った。
【００２５】
本発明の第５特徴構成は、上記第１〜第４特徴構成のいずれかに加えて、
前記排気口からの排気を機体前面側で且つ機体上部側の外部排出口に案内する排気ダクトが設けられている点を特徴とする。
【００２６】
すなわち、排気口から排出された空気が排気ダクトにて案内されて、機体前面側で且つ機体上部側の外部排出口から外部に排出されることになる。
つまり、一般に、食器洗浄機は、流し台や調理台を備えたキッチンユニットに組み込まれる状態で設置されることが多いものであるが、このように設置された場合において、外部排出口が機体前面側で且つ機体上部側に位置するため、外部排出部から排出される空気が、使用者に降りかかるとしても、その腰部又は腹部に降りかかるものとなるため、使用者に不快感を与えることを回避できるものとなる。
つまり、外部排出口を機体前面側で且つ機体下部側に位置させるようにすると、外部排出部から排出される空気が、使用者の脛や足首等、衣服にて覆われていない部分に降りかかって、使用者に不快感を与える虞があるが、これを回避できるものとなる。
【００２７】
従って、上記第１〜第４特徴構成のいずれかによる作用効果に加えて、使用者に不快感を与えることを回避できるものとなる食器洗浄機を提供するに至った。
【００２８】
本発明の第６特徴構成は、上記第５特徴構成に加えて、
前記排気ダクト内に、空気の流れを乱流化するために空気の流れに抵抗を与える抵抗体が配置されている点を特徴とする。
【００２９】
すなわち、排気口から排出されて排気ダクトを通して外部排出口に向けて流動する空気は、洗浄対象物の乾燥の際に水を蒸発させるために湿度の高い状態となっているが、この空気の流れが抵抗体による抵抗のために乱流化することにより、低圧となる渦流部が発生して、結露を生じ易くなり、その結果、外部排出口から排出される空気の湿度を低下させることが可能となるである。
このように、外部排出口から排出される空気の湿度を低下させることができるので、外部排出部から排出されて空気が、キッチンユニット等に接触して多量の結露を発生する不都合を抑制できるものとなる。
【００３０】
したがって、上記第５特徴構成による作用効果に加えて、外部排出部から排出される空気が結露することを抑制できる食器洗浄機を提供するに至った。
【発明を実施するための最良の形態】
【００３１】
〔実施形態〕
本発明にかかる食器洗浄機について図面に基づいて説明する。
図１〜図３に示すように、前面部が開口された本体部１が設けられ、平面視形状が４角状の洗浄槽Ｄを備えた引出し部２が、本体部１に対して、引出し移動及び収納移動自在に設けられて、食器洗浄機の一例としての引出し式の食器洗浄機が構成されている。
尚、例示はしないが、引出し部２を本体部１に対して移動自在に支持するスライド式レール機構が設けられており、引出し部２が、その大部分を本体部１の外方に露出させる状態に引き出すことができるように構成されている。
そして、引出し部２を本体部１に収納した状態で洗浄槽Ｄの上面部を閉塞し、かつ、引出し部２を本体部１から引き出した状態で洗浄槽Ｄの上面部を開口させる内蓋部３が設けられている。
【００３２】
引出し部２の前面部には、本体部１の前面部の開口を開閉する扉体Ａが設けられ、その扉体Ａには、引出し部２を本体部１から引き出すときや収納するときに把持するための把持部Ｂが設けられている。尚、詳述はしないが、把持部Ｂの内方側箇所には、引出し部２を本体部１に収納するに伴って本体部１の係止部Ｐａに係合する係合手段Ｐが設けられており、この係合手段Ｐが係止部Ｐａに係合することにより、引出し部２を本体部１に収納した状態に保持するようになっている。そして、係合手段Ｐは、引出し部２を本体部１から引き出すときに把持部Ｂを支持する手指にて、係合を解除する解除状態に操作できるようになっている。
また、扉体Ａには、運転のための各種操作を行う操作部ＳＳが設けられ、さらに、洗浄槽Ｄから排出される空気を外部に排出する外部排出口Ｇが、機体前面側で且つ機体上部側としての、引出し部２における扉体Ａの上部側箇所に形成されている。
【００３３】
図２〜図４に示すように、洗浄槽Ｄに水を供給する給水路４および給水路４を開閉する給水弁４ａが設けられている。
また、引出し部２における洗浄槽Ｄの底部下方には、正転で洗浄ポンプとして機能し、且つ、逆転で排水ポンプとして機能する兼用ポンプ６、及び、乾燥のために送風する送風手段としての乾燥用ファン７等が、引出し部２と一体的に移動するように設けられ、洗浄槽Ｄの内部には、洗浄ノズル８や加熱手段としての電気式のヒータ９などが配置され、さらに、食器などの洗浄対象物を収納載置する洗浄かご１０が、洗浄槽Ｄの内部に着脱自在に装着されている。
【００３４】
前記兼用ポンプ６は、洗浄槽Ｄの底部に形成した水貯留用凹部Ｓに吸引管１１にて接続され、また、兼用ポンプ６には排水管１２が接続されている。
尚、図中、Ｆは、乾燥用ファン７の吸引口に装備されたエアーフィルタであり、Ｊは、水貯留用凹部Ｓに案内管１３にて接続された水位センサＪである。
【００３５】
図２〜図５に示すように、洗浄槽Ｄにおける４つの側壁部のうちの、機体前面側、つまり引出し部前面側に相当する前側壁部Ｄｆには、乾燥ファン７からの空気を洗浄槽内に供給する送風口２１、及び、洗浄槽内の空気を排出する排気口２２が、下方側で左右両側に離れた位置に形成されている。具体的には、送風口２１及び排気口２２は、洗浄かご１０よりも下方側に位置するように形成されるものであり、そして、本実施形態では、送風口２１を右側に、且つ、排気口２２を左側に位置させている。
そして、前記乾燥用ファン７が、引き出し部２の奥行き方向の奥側に配置され、その乾燥用ファン７から供給される空気を送風口２１に案内する給気ダクト２３が、洗浄槽Ｄの底部及び洗浄槽Ｄの前側壁部Ｄｆに沿わせて設けられ、排気口２２からの排気を外部排出口Ｇに案内する排気ダクト２４が、洗浄槽Ｄの前側壁部Ｄｆに沿わせて設けられている。
尚、給気ダクト２３における洗浄槽Ｄの前側壁部Ｄｆに沿わせて設けられる立ち姿勢部分２３Ａは、洗浄槽内の水が給気ダクト内に流動するのを防止するために逆Ｕ字状に形成されている。
【００３６】
前記排気ダクト２４の内部には、空気の流れを乱流化するために空気の流れに抵抗を与える抵抗体２５が設けられている。具体的には、抵抗体２５は、排気ダクト２４の左右の側壁部に、内方側ほど下方に位置する傾斜姿勢となる抵抗板２５ａを上下方向に並べる状態で設けることにより構成されている。
【００３７】
図４に示すように、引出し部２には、運転を制御する制御部Ｈが装備され、この制御部Ｈが、操作部ＳＳにて入力される指令に基づいて、給水弁４ａ、兼用ポンプ６、乾燥用ファン７及びヒータ９の作動を制御して、洗浄槽Ｄの内部空間の洗浄対象物を洗浄液としての湯水にて洗浄する洗浄運転、洗浄槽Ｄの水貯留用凹部Ｓに貯留されかつヒータ９にて加熱されるすすぎ水により洗浄対象物のすすぎを行うすすぎ運転、洗浄槽Ｄの水貯留用凹部Ｓに貯留れたすすぎ水を排水する排水運転、ヒータ９を加熱作用させた状態で乾燥用ファン７にて洗浄槽Ｄの内部空間に乾燥用空気を供給しかつ洗浄槽Ｄの内部空間の気体を機外に排出する乾燥運転などの各運転を行うものであり、次に、制御部Ｈが実行する運転について説明を加える。
【００３８】
つまり、使用者は、操作部ＳＳにより、洗浄運転、すすぎ運転、排水運転、乾燥運転の順に運転させる連続運転コースや、乾燥運転のみ運転させる乾燥のみコースなど各種の運転コースを選択できるように構成され、さらに、連続運転コースとして、標準運転コース、念入り運転コース、スピーディ運転コース、快速運転コースが備えられているが、本実施形態においては、標準運転コースについてのみ説明する。
【００３９】
図６のフローチャートに基づいて、制御部Ｈの制御作動について説明する。
まず、図外の収納スイッチにより、引出し部２が本体部１の収納位置に収納されることが検出され（＃１）、操作部ＳＳの電源スイッチがＯＮ操作されると（＃２）、運転コースの選択が行われることになる（＃３）。本実施形態では、標準運転コースが選択されたとして説明を続ける。
操作部ＳＳのスタートスイッチがＯＮ操作されると（＃４）、標準運転コースが開始されて、洗浄運転（＃５）、すすぎ運転（＃６）、排水運転（＃７）、乾燥運転（＃８）が順次実行される。
【００４０】
洗浄運転は、先ず、給水弁４ａを開弁して給水路４を通して洗浄槽Ｄ内に洗浄水を給水し、その水位が水位センサＪにて設定水位に達したことが検出されると、給水弁４ａを閉じる給水動作を行い、その後、兼用ポンプ６を正転作動させ且つヒータ９を作動させて、洗浄水を洗浄ノズル８から洗浄対象物に向けて噴出する洗浄動作を、洗浄運転用設定時間が経過するまで行い、次に、兼用排水ポンプ６を逆転作動させ、洗浄槽Ｄ内の洗浄水を排水する排水動作を行う。
【００４１】
すすぎ運転は、上述の洗浄運転における給水動作と同様の給水動作を行って、洗浄槽Ｄの底部にすすぎ水を設定水位貯留させ、その後、兼用ポンプ６およびヒータ９を作動させて、ヒータ９にて加熱されたすすぎ水により洗浄対象物のすすぎを設定時間が経過するまで行うすすぎ動作、及び、兼用ポンプ７を逆転作動させて、洗浄槽Ｄの底部に貯留されたすすぎ水を排水する排水動作を順次行うすすぎ動作を、２回行い、最後に加熱すすぎ動作を行うことになる。
加熱すすぎ動作は、上述の給水作動により、洗浄槽Ｄの底部にすすぎ水を設定水位貯留させたのち、兼用ポンプ６およびヒータ９を作動させて、ヒータ９にて加熱されたすすぎ水により洗浄対象物のすすぎを行うことになり、そして、図外の温度センサにより、すすぎ水の温度が仕上げ用設定温度（例えば、６７℃）になると、加熱すすぎ動作を終了することになる。
【００４２】
排水運転は、兼用ポンプ６を逆転作動させて、洗浄槽Ｄの底部に貯留されたすすぎ水を排水する排水動作、及び、洗浄槽Ｄの内部空間からの気体の排出量が乾燥運転用排出量よりも小さい先行運転用排出量になるように、乾燥用ファン７を作動させる通風動作を、洗浄槽Ｄの底部に貯留されたすすぎ水が排出されるまで行うことになる。
【００４３】
乾燥運転は、ヒータ９を作動させるとともに、洗浄槽Ｄの内部空間からの気体の排出量が乾燥運転用排出量になるように、乾燥用ファン７を作動させる加熱乾燥動作を行い、その加熱乾燥動作を加熱乾燥用設定時間（例えば、２５分）が経過するまで継続させる。
そして、加熱乾燥用設定時間が経過すると、ヒータ９を停止させて、洗浄槽Ｄの内部空間からの気体の排出量が乾燥運転用排出量になるように、乾燥用ファン１０を作動させる送風乾燥動作を、送風乾燥用設定時間が経過するまで行う。
【００４４】
上記した食器洗浄機は、図５に示すように、洗浄槽Ｄの前側壁部Ｄｆに形成した送風口２１から洗浄槽Ｄの内部に供給される空気の主たる流れが、上昇しながら後側壁部に向けて流動し、その後、前側壁部Ｄｆにおける下方側で且つ送風口２１とは左右方向で離れた位置に形成した排気口２２に向けて下方側に移動しながら流動して、排気口２２から排出される流れとなるため、洗浄槽内における排気口２２が位置する側の下方側の部分Ｘ（図中斜線部分）にも、空気が流動し易いものとなるのである。
したがって、洗浄槽内の洗浄対象物の全体に空気を通流させて、洗浄対象物を効率良く乾燥することにより、乾燥時間の短縮化を図ることができるものとなる。
【００４５】
また、送風口２１から洗浄槽Ｄの内部に供給された空気の一部が、排気口２２の存在側が低圧部となっているため、後側壁部側に向けて流れないで、ヒータ９にて加熱されることなく、排気口２２に向けて短絡して流れる短絡流動の流れとなることを考えることができるものであり、このように送風口２１から排気口２２に向けて短絡して流動する空気は、その温度が低いため、主たる流れの空気と混合して、排気口２２から排出される空気の温度を低くすることに有効となる。しかも、排気口２２に向けて流れる主たる流れの空気は、洗浄対象物の乾燥のために気化熱を奪われ冷却した空気であり、洗浄槽Ｄの上部に位置する空気よりも低温であるため、主たる流れの空気と短絡して流動する空気とが混合した空気の温度は、十分に低くなるものである。
【００４６】
そして、洗浄槽内の洗浄対象物の乾燥が進んだ状態においては、主たる流れの空気の温度は高温となるが、このように高温になった空気は比重が軽いため、洗浄槽Ｄの上部に滞留する傾向となって、短絡流動する流れの空気量が増加する傾向となるものであり、このため洗浄槽内の洗浄対象物の乾燥が進んだ状態においても、主たる流れの空気と短絡して流動する空気とが混合した空気の温度は、十分に低くなるものである。
したがって、排出口から排出される空気、つまり外部に排出される空気の低温化を図ることができるものとなる。
【００４７】
図８は、本実施形態の食器洗浄機を用いて洗浄対象物を乾燥した場合（以下、本実施形態での乾燥と略称する）と、図７に示す従来の食器洗浄機にて洗浄対象物を乾燥した場合（以下、従来形態での乾燥と略称する）との実験結果を示すものである。
試験番号の第１及び第２が、図７に示す従来形態での乾燥の場合の結果であり、試験番号の第３及び第４が、本実施形態での乾燥の場合の結果である。
この実験は、「（社）日本電機工業会（JEMA)の自主基準」に基づいて行ったものであり、本実施形態での乾燥の場合には、第３の試験の乾燥率と第４の試験の乾燥率との平均値が６７．１であるのに対して、従来形態での乾燥の場合には、第１の試験の乾燥率と第２の試験の乾燥率との平均値が５８．３であり、本実施形態での乾燥の方が、従来形態での乾燥よりも、乾燥率が優れているものである。
乾燥率％は下記の式にて求められるものであり、式中のＡ判定、及び、Ｂ判定は、図９に示す判定基準に沿って判定されるものである。
乾燥率％＝（Ａ判定食器点数×２＋Ｂ判定食器点数）÷前食器点数×２×１００
【００４８】
また、図８にて示されるように、乾燥運転を行っているときに洗浄槽Ｄから機外に排出される気体の温度、つまり、排気温度は、本実施形態での乾燥の方が、従来形態での乾燥よりも、低いものである。
ちなみに、乾燥開始直後である１分後の排気温度が、乾燥開始してから１５分後の排気温度よりも高いのは、上述の加熱すすぎにより、洗浄対象物の温度が高温であることによるものである。
【００４９】
〔別実施形態〕
（１）上記実施形態では、送風手段７を洗浄槽Ｄの下方で且つ引出し部２の奥行き方向の奥側に設ける場合を例示したが、洗浄槽Ｄの下方で引出し部２の奥行き方向の手前側に設ける、及び、洗浄槽Ｄの前壁部分Ｄｆと扉体Ａとの間に配置する等、各種の位置に設けることができるものである。
【００５０】
（２）上記実施形態では、送風手段７に加えて、兼用ポンプ６をも、洗浄槽Ｄの下方で且つ引出し部２の奥行き方向の奥側に設ける場合を例示したが、兼用ポンプ６を、洗浄槽Ｄの下方で引出し部２の奥行き方向の手前側に設けるようにしてもよい。
【００５１】
（３）上記実施形態では、すすぎ運転において、すすぎ動作を複数回行ったのち、仕上げすすぎ動作を行うようにしているが、すすぎ動作の回数については適宜変更が可能であり、例えば、すすぎ動作を行わず、最初から仕上げすすぎ動作を行うようにして実施することも可能である。
【００５２】
（４）上記第１および第２実施形態では、本発明にかかる食器洗浄機をスライド式の食器洗浄機に適応した例を示したが、スライド式以外の食器洗浄機にも適応可能である。例えば、食器洗浄機の本体部に洗浄槽が収納され、そして、本体部における前壁部が、本体部に対して開閉自在に構成され、洗浄槽の前側壁部が、洗浄槽に対して開閉自在に形成されて、本体部の前壁部に装備される形態の食器洗浄機に対して、本発明を適用しても良い。
【図面の簡単な説明】
【００５３】
【図１】食器洗浄機の全体斜視図
【図２】洗浄槽を収納位置に収納した状態における食器洗浄機の切欠側面図
【図３】引出し部の底部を示す斜視図
【図４】食器洗浄機の概略構成図
【図５】乾燥運転状態での空気の流れを示す斜視図
【図６】制御部の制御動作を示すフローチャート
【図７】従来例における乾燥運転状態での空気の流れを示す斜視図
【図８】乾燥運転の実験結果を示す図
【図９】判定基準を示す図
【符号の説明】
【００５４】
１    本体部
２    引出し部
７    送風手段
２１  送風口
２２  排気口
２３  給気ダクト
２４  排気ダクト
２５  抵抗体
Ｄ    洗浄槽
【図１】
2010142576.tif 000003
【図２】
2010142576.tif 000004
【図３】
2010142576.tif 000005
【図４】
2010142576.tif 000006
【図５】
2010142576.tif 000007
【図６】
2010142576.tif 000008
【図７】
2010142576.tif 000009
【図８】
2010142576.tif 000010
【図９】
2010142576.tif 000011